【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
撮像装置であって、
撮像手段と、
記録媒体に記録された画像を読出す読出手段と、
赤画素、緑画素、青画素及び白画素を有する表示部に、画像を表示させる制御を行う制御手段と、を備え、
前記撮像装置は、少なくとも、前記撮像手段により得られた画像を前記表示部に表示させる撮像モードと、前記読出手段により前記記録媒体から読み出された画像を前記表示部に表示させる再生モードと、を有し、
前記制御手段は、前記撮像装置が前記撮像モードであるときは、前記撮像装置が前記再生モードであるときに比べて、前記表示部の白画素の輝度が高くなるように制御することを特徴とする撮像装置。
【請求項２】
前記表示部は、
赤画素、緑画素、青画素及び白画素を有する液晶パネルと、
前記液晶パネルに光を出力するバックライトと、を含むことを特徴とする請求項１に記載の撮像装置。
【請求項３】
前記制御手段は、前記撮像装置が前記撮像モードであるときは、前記撮像装置が前記再生モードであるときに比べて、前記液晶パネルの白画素の透過率が大きくなるようにすることで、前記表示部の白画素の輝度が高くなるように制御することを特徴とする請求項２に記載の撮像装置。
【請求項４】
前記制御手段は、前記撮像装置が前記撮像モードであるときは、前記撮像装置が前記再生モードであるときに比べて、前記液晶パネルの白画素の透過率の最大値が大きくなるようにすることで、前記表示部の白画素の輝度が高くなるように制御することを特徴とする請求項２に記載の撮像装置。
【請求項５】
前記制御手段は、前記撮像装置が動画を再生する動画再生モードであるときは、前記撮像装置が静止画を再生する静止画再生モードであるときに比べて、前記表示部の白画素の輝度が高くなるように制御することを特徴とする請求項１に記載の撮像装置。
【請求項６】
前記制御手段は、前記撮像装置が動画を再生する動画再生モードであるときは、前記撮像装置が静止画を再生する静止画再生モードであるときに比べて、前記液晶パネルの白画素の透過率が大きくなるように制御することを特徴とする請求項２に記載の撮像装置。
【請求項７】
前記制御手段は、前記撮像装置が動画を再生する動画再生モードであるときは、前記撮像装置が静止画を再生する静止画再生モードであるときに比べて、前記液晶パネルの白画素の透過率の最大値が大きくなるように制御することを特徴とする請求項２に記載の撮像装置。
【請求項８】
前記制御手段は、前記撮像手段により得られた画像の一部を拡大して前記表示部に表示させるモードであるときは、前記撮像手段により得られた画像を拡大せずに前記表示部に表示させるモードであるときに比べて、前記表示部の白画素の輝度が小さくなるように制御することを特徴とする請求項１に記載の撮像装置。
【請求項９】
前記制御手段は、前記撮像手段により得られた画像の一部を拡大して前記表示部に表示させるモードであるときは、前記撮像手段により得られた画像を拡大せずに前記表示部に表示させるモードであるときに比べて、前記液晶パネル白画素の透過率が小さくなるように制御することを特徴とする請求項２に記載の撮像装置。
【請求項１０】
前記制御手段は、前記撮像装置が前記撮像モードであるときは、前記撮像装置が前記再生モードであるときに比べて、前記バックライトの光量が低くなるように制御することを特徴とする請求項２から請求項４までのいずれか１項に記載の撮像装置。
【請求項１１】
前記制御手段は、前記表示部に表示される画像の彩度が低い場合は、前記表示部に表示される画像の彩度が高い場合に比べて、前記表示部の白画素の輝度が高くなるように制御することを特徴とする請求項１に記載の撮像装置。
【請求項１２】
前記制御手段は、前記表示部に表示される画像の彩度が低い場合は、前記表示部に表示される画像の彩度が高い場合に比べて、前記液晶パネルの白画素の透過率が高くなるように制御することを特徴とする請求項２に記載の撮像装置。
【請求項１３】
撮像装置であって、
撮像手段と、
記録媒体に記録された画像を読み出す読出手段と、
赤画素、緑画素、青画素及び白画素を有する液晶パネルと、バックライトとを含む表示部に、画像を表示させる制御を行う制御手段と、を備え、
前記撮像装置は、少なくとも、前記撮像手段により得られた画像を前記表示部に表示させる撮像モードと、前記読出手段により読み出された画像を前記表示部に表示させる再生モードを有し、
前記制御手段は、前記撮像装置が前記撮像モードであるときは、前記撮像装置が前記再生モードであるときに比べて、前記液晶パネルの白画素の透過率が大きくなるように制御することを特徴とする撮像装置。
【請求項１４】
前記制御手段は、前記撮像装置が前記撮像モードであるときは、前記撮像装置が前記再生モードであるときに比べて、前記液晶パネルの白画素の透過率の最大値が大きくなるように制御することを特徴とする請求項１３に記載の撮像装置。
【請求項１５】
前記制御手段は、前記撮像装置が前記撮像モードであるときは、前記撮像装置が前記再生モードであるときに比べて、前記バックライトの光量が低くなるように制御することを特徴とする請求項１３または請求項１４に記載の撮像装置。
【請求項１６】
前記制御手段は、前記撮像装置が動画を再生する動画再生モードであるときは、前記撮像装置が静止画を再生する静止画再生モードであるときに比べて、前記液晶パネルの白画素の透過率が大きくなるように制御することを特徴とする請求項１３から請求項１５までのいずれか１項に記載の撮像装置。
【請求項１７】
前記制御手段は、前記撮像装置が動画を再生する動画再生モードであるときは、前記撮像装置が静止画を再生する静止画再生モードであるときに比べて、前記液晶パネルの白画素の透過率の最大値が大きくなるように制御することを特徴とする１３から請求項１５までのいずれか１項に記載の撮像装置。
【請求項１８】
表示装置であって、
赤画素、緑画素、青画素及び白画素を有する表示手段と、
前記表示手段に、画像を表示させる制御を行う制御手段と、を備え、
前記制御手段は、前記表示装置が外部から電力供給を受けていないときは、前記表示装置が外部から電力供給を受けているときに比べて、前記表示手段の白画素の輝度が高くなるように制御することを特徴とする表示装置。
【請求項１９】
前記表示手段は、
赤画素、緑画素、青画素及び白画素を有する液晶パネルと、
前記液晶パネルに光を出力するバックライトと、を含むことを特徴とする請求項１８に記載の表示装置。
【請求項２０】
前記制御手段は、前記表示装置が外部から電力供給を受けていないときは、前記表示装置が外部から電力供給を受けているときに比べて、前記液晶パネルの白画素の透過率が大きくなるようにすることで、前記白画素の輝度が高くなるように制御することを特徴とする請求項１９に記載の表示装置。
【請求項２１】
前記制御手段は、前記表示装置が外部から電力供給を受けていないときは、前記表示装置が外部から電力供給を受けているときに比べて、前記液晶パネルの白画素の透過率の最大値が大きくなるようにすることで、前記表示手段の白画素の輝度が高くなるように制御することを特徴とする請求項１９に記載の表示装置。
【請求項２２】
前記制御手段は、前記表示装置が外部から電力供給を受けていないときは、前記表示装置が外部から電力供給を受けているときに比べて、前記バックライトの光量が低くなるように制御することを特徴とする請求項１９から請求項２１までにいずれか１項に記載の表示装置。
【請求項２３】
前記制御手段は、前記表示装置が外部から電力供給を受けていない場合であって、バッテリ残量が所定量未満であるときは、バッテリ残量が所定量以上である場合に比べて、前記表示手段の白画素の輝度が高くなるように制御することを特徴とする請求項１８に記載の表示装置。
【請求項２４】
前記制御手段は、前記表示装置が外部から電力供給を受けていない場合であって、バッテリ残量が所定量未満であるときは、バッテリ残量が所定量以上である場合に比べて、前記液晶パネルの白画素の透過率が大きくなるように制御することを特徴とする請求項１９から請求項２２までのいずれか１項に記載の表示装置。
【請求項２５】
前記制御手段は、前記表示装置が外部から電力供給を受けていない場合であって、バッテリ残量が所定量未満であるときは、バッテリ残量が所定量以上である場合に比べて、前記液晶パネルの白画素の透過率の最大値が大きくなるように制御することを特徴とする請求項１９から請求項２２までのいずれか１項に記載の表示装置。
【請求項２６】
表示装置であって、
赤画素、緑画素、青画素及び白画素を有する液晶パネルと、バックライトとを含む表示手段と、
前記表示手段に、画像を表示させる制御を行う制御手段と、を備え、
前記制御手段は、前記表示装置が外部から電力供給を受けていないときは、前記表示装置が外部から電力供給を受けているときに比べて、前記液晶パネルの白画素の透過率が大きくなるように制御することを特徴とする表示装置。
【請求項２７】
前記制御手段は、前記表示装置が外部から電力供給を受けていないときは、前記表示装置が外部から電力供給を受けているときに比べて、前記液晶パネルの白画素の透過率の最大値が大きくなるように制御することを特徴とする請求項１９に記載の表示装置。
【請求項２８】
前記制御手段は、前記表示装置が外部から電力供給を受けていないときは、前記表示装置が外部から電力供給を受けているときに比べて、前記バックライトの光量が低くなるように制御することを特徴とする請求項２６または請求項２７に記載の表示装置。
【請求項２９】
前記制御手段は、前記表示装置が外部から電力供給を受けていない場合であって、バッテリ残量が所定量未満であるときは、バッテリ残量が所定量以上である場合に比べて、前記液晶パネルの白画素の透過率が大きくなるように制御することを特徴とする請求項２６から請求項２８までのいずれか１項に記載の表示装置。
【請求項３０】
前記制御手段は、前記表示装置が外部から電力供給を受けていない場合であって、バッテリ残量が所定量未満であるときは、バッテリ残量が所定量以上である場合に比べて、前記液晶パネルの白画素の透過率の最大値が大きくなるように制御することを特徴とする請求項２６から請求項２８までのいずれか１項に記載の表示装置。
【手続補正２】
【補正対象書類名】明細書
【補正対象項目名】０００７
【補正方法】変更
【補正の内容】
【０００７】
本発明の撮像装置は、撮像手段と、記録媒体に記録された画像を読出す読出手段と、赤画素、緑画素、青画素及び白画素を有する表示部に、画像を表示させる制御を行う制御手段と、を備え、前記撮像装置は、少なくとも、前記撮像手段により得られた画像を前記表示部に表示させる撮像モードと、前記読出手段により前記記録媒体から読み出された画像を前記表示部に表示させる再生モードにと、を有し、前記制御手段は、前記撮像装置が前記撮像モードであるときは、前記撮像装置が前記再生モードであるときに比べて、前記表示部の白画素の輝度が高くなるように制御することを特徴とする。